(57)【要約】【課題】十分な防水性を確保でき、かつ音源からの音を効率的に外部に伝えることができる時計を提供する。【解決手段】ムーブメント１と、ムーブメント１を収容する時計ケース２と、ムーブメント１に直接または間接に接する接続基部５２ａを有する中空構造部５１と、を備えた時計１０を提供する。中空構造部５１は、時計ケース２との間に区画された空間５６が密閉構造となるように形成されている。中空構造部５１の内部空間５１ａは、時計ケース２の外部開口５ｆを通して外部空間６０と連通している。【選択図】図２
2017134058.tif 000002
【特許請求の範囲】
【請求項１】
ムーブメントと、前記ムーブメントを収容するケースと、前記ムーブメントに直接または間接に接する振動部を有する中空構造部と、を備え、
前記中空構造部は、前記ケースとの間に区画された空間が密閉構造となるように形成され、
前記中空構造部の内部空間は、前記ケースの外部開口を通して前記ケースの外部空間と連通している、ことを特徴とする時計。
【請求項２】
前記振動部は、前記中空構造部の一部であって前記内部空間に面している、請求項１に記載の時計。
【請求項３】
前記振動部は、直接または間接に前記ムーブメントの地板と接している、請求項１または２に記載の時計。
【請求項４】
前記振動部に接続されたゴングをさらに有し、
前記ムーブメントは、前記ゴングを打つハンマーを有する、請求項１〜３のうちいずれか１項に記載の時計。
【請求項５】
前記ムーブメントは、前記中空構造部を打つハンマーを有する、請求項１〜３のうちいずれか１項に記載の時計。
【請求項６】
前記中空構造部は、前記ケースの外面に対して非突出となる、請求項１〜５のうちいずれか１項に記載の時計。
【請求項７】
前記中空構造部は所定方向に延在し、
前記内部空間は、前記中空構造部の両端部においてそれぞれ前記ケースの外部開口を通して前記外部空間と連通している、請求項１〜６のうちいずれか１項に記載の時計。
【請求項８】
前記外部開口の内径は、前記振動部における前記中空構造部の内径より大きい、請求項１〜７のうちいずれか１項に記載の時計。
【請求項９】
前記ムーブメントと前記振動部のうち少なくともいずれか一方に当接凸部が形成され、
前記ムーブメントと前記振動部とが前記当接凸部において当接することによって、前記ムーブメントが前記振動部の一部のみに接する、請求項１〜８のうちいずれか１項に記載の時計。
【請求項１０】
前記当接凸部は、湾曲凸状である、請求項９に記載の時計。
【請求項１１】
前記振動部の少なくとも一部は、前記中空構造部の他の部分に比べて薄肉である薄肉部とされ、
前記薄肉部は、前記ムーブメントに接している、請求項１〜１０のうちいずれか１項に記載の時計。
【請求項１２】
前記ムーブメントは、弾性を有する弾性支持部を介して前記ケースに当接する、請求項１〜１１のうちいずれか１項に記載の時計。
【請求項１３】
前記中空構造部は、一方の端部のみに前記外部開口を有する閉管構造であって、前記振動部から前記外部開口までの長さが、式（１）で表される、請求項１〜１２のうちいずれか１項に記載の時計。
λｎ（２ｎ−１）／４  ・・・（１）
（λｎは前記ムーブメントが発する音の波長。ｎは自然数。）
【請求項１４】
前記中空構造部は、両方の端部に前記外部開口を有する開管構造であって、長さが、式（２）で表される、請求項１〜１２のうちいずれか１項に記載の時計。
λｎ・ｎ／４  ・・・（２）
（λｎは前記ムーブメントが発する音の波長。ｎは自然数。）
【請求項１５】
前記ムーブメントは、ルモントワール機構を有する、請求項１〜１４のうちいずれか１項に記載の時計。
【発明の詳細な説明】
【技術分野】
【０００１】
本発明は、時計に関する。
【背景技術】
【０００２】
従来、アラーム、ミニッツリピータなどの、音を発生させる機構を有する時計が用いられている。この種の時計においては、使用者に音を確実に認識させるために大きな音を出すことが求められる。一方、時計には防水性能も要求されることがある。
特許文献１に記載の時計は、密封部分と非密封部分を含むケースと、密封部分に配置された時打ち機構と、時打機構によって操作される鐘とを備えている。鐘は、全体がケースの非密封部分の内部に設けられている。
特許文献２に記載の時計は、外装ケースと、外装ケースの内部に配置された音源と、通気性および防水性を備えた内部フィルタとを備えている。
【先行技術文献】
【特許文献】
【０００３】
【特許文献１】特表２０１４−５１３３０９号公報
【特許文献２】特開２００８−７６３８０号公報
【発明の概要】
【発明が解決しようとする課題】
【０００４】
しかしながら、特許文献１に記載の構成にあっては、音の発生源である鐘は非密封部分に位置し、音を発生させる機構は密封部内にある。そのため、鐘を鳴らすために密封部と非密封部の境界をまたぐように動作する機構が必要であり、密封部と非密封部の境界において防水性の問題が生じることがあった。
特許文献２に記載の構成は、内部フィルタを有するため、音源から発せられた音がケース外に伝わりにくかった。
本発明の一態様は、十分な防水性を確保でき、かつ音源からの音を効率的に外部に伝えることができる時計を提供することを目的とする。
【課題を解決するための手段】
【０００５】
（１）本発明の一態様は、ムーブメントと、前記ムーブメントを収容するケースと、前記ムーブメントに直接または間接に接する振動部を有する中空構造部と、を備え、前記中空構造部は、前記ケースとの間に区画された空間が密閉構造となるように形成され、前記中空構造部の内部空間は、前記ケースの外部開口を通して前記ケースの外部空間と連通している時計を提供する。
この構成によれば、ムーブメントの振動によって生じた音は、中空構造部の内部空間を経て、外部開口を通して外部空間に伝えられる。そのため、ムーブメントで生じた音（例えば刻音）を効率的に、大きな音量で外部に伝えることができる。また、中空構造部は、ケースとの間に区画された空間が密閉構造となるように形成されているため、防水性を確保できる。
【０００６】
（２）前記振動部は、前記中空構造部の一部であって前記内部空間に面している構成とすることができる。
この構成によれば、ムーブメントの振動を効率よく中空構造部の内部空間に伝えることができる。また、ケース内部の構造を簡略にでき、小型化および低コスト化を図ることができる。
【０００７】
（３）前記振動部は、直接または間接に前記ムーブメントの地板と接している構成とすることができる。
この構成によれば、ムーブメントに生じた振動が効率よく中空構造部に伝えられる。よって、ムーブメントで生じた音を効率的に、大きな音量で外部に伝えることができる。
【０００８】
（４）前記時計は、前記振動部に接続されたゴングをさらに有し、前記ムーブメントは、前記ゴングを打つハンマーを有する構成とすることができる。
この構成によれば、ゴングを有するため、大きな音を外部に伝えることができる。
【０００９】
（５）前記ムーブメントは、前記中空構造部を打つハンマーを有する構成とすることができる。
この構成によれば、ハンマーによって中空構造部に直接、打撃を加え、中空構造部を大きく振動させることができるため、外部開口を通して発せられる音の音量を大きくできる。また、ゴングが不要であるため、ケース内部の空間における省スペース化が可能である。そのため、時計の小型化を図ることができる。
【００１０】
（６）前記中空構造部は、前記ケースの外面に対して非突出となる構成とすることができる。
この構成によれば、小型化が可能であり、意匠性の点でも優れた時計が得られる。
【００１１】
（７）前記中空構造部は所定方向に延在し、前記内部空間は、前記中空構造部の両端部においてそれぞれ前記ケースの外部開口を通して前記外部空間と連通している構成とすることができる。
この構成によれば、ムーブメントで生じた音を２つの外部開口を通して効率的に外部に伝えることができる。
【００１２】
（８）前記外部開口の内径は、前記振動部における前記中空構造部の内径より大きくすることができる。
この構成によれば、音の回折などの影響を小さくし、外部開口を通して発せられる音の音量を大きくできる。よって、ムーブメントで生じた音（例えば刻音）を、より大きな音量で外部に伝えることができる
【００１３】
（９）前記時計は、前記ムーブメントと前記振動部のうち少なくともいずれか一方に当接凸部が形成され、前記ムーブメントと前記振動部とが前記当接凸部において当接することによって、前記ムーブメントが前記振動部の一部のみに接する構成とすることができる。
この構成によれば、振動部が振動しやすくなるため、ムーブメントで生じた音（例えば刻音）を、中空構造部を通して大きな音量で外部に伝えることができる。
【００１４】
（１０）前記当接凸部は、湾曲凸状であってよい。
この構成によれば、当接凸部が振動部に点接触するため、当接凸部と振動部との接触面積が小さくなることから、振動部が振動しやすくなる。よって、ムーブメントで生じた音（例えば刻音）を、中空構造部を通して大きな音量で外部に伝えることができる。
【００１５】
（１１）前記時計は、前記振動部の少なくとも一部が、前記中空構造部の他の部分に比べて薄肉である薄肉部とされ、前記薄肉部が、前記ムーブメントに接している構成とすることができる。
この構成によれば、振動部が振動しやすくなるため、ムーブメントで生じた音（例えば刻音）を、中空構造部を通して大きな音量で外部に伝えることができる。
【００１６】
（１２）前記ムーブメントは、弾性を有する弾性支持部を介して前記ケースに当接する構成とすることができる。
この構成によれば、ムーブメントの振動を優先的に振動部に伝えることができ、ムーブメントの音を、より大きな音量で外部に伝えることができる。
【００１７】
（１３）前記中空構造部は、一方の端部のみに前記外部開口を有する閉管構造であって、前記振動部から前記外部開口までの長さが、式（１）で表される構成とすることができる。
λｎ（２ｎ−１）／４  ・・・（１）
（λｎは前記ムーブメントが発する音の波長。ｎは自然数。）
この構成によれば、中空構造部で共鳴を起こすことができるため、ムーブメントの音を、より大きな音量で外部に伝えることができる。
【００１８】
（１４）前記中空構造部は、両方の端部に前記外部開口を有する開管構造であって、長さが、式（２）で表される構成とすることができる。
λｎ・ｎ／４  ・・・（２）
（λｎは前記ムーブメントが発する音の波長。ｎは自然数。）
この構成によれば、中空構造部で共鳴を起こすことができるため、ムーブメントの音を、より大きな音量で外部に伝えることができる。
【００１９】
（１５）前記ムーブメントは、ルモントワール機構を有する構成とすることができる。
この構成によれば、ルモントワール機構の振動によって生じた音を前記中空構造部によって効率よく外部に伝えることができる。
【発明の効果】
【００２０】
本発明の一態様によれば、ムーブメントの振動によって生じた音は、中空構造部の内部空間を経て、外部開口を通して外部空間に伝えられる。したがって、ムーブメントで生じた音（例えば刻音）を効率的に、大きな音量で外部に伝えることができる。
本発明の一態様によれば、中空構造部は、ケースとの間に区画された空間が密閉構造となるように形成されているため、防水性を確保できる。
【図面の簡単な説明】
【００２１】
【図１】本発明に係る第１実施形態の時計を示す図であって、時計の外観図である。
【図２】図１に示す時計の内部構造を示す平面図である。
【図３】図１に示す時計の一部を示す斜視図である。
【図４】図１に示す時計の構造を模式的に示す構成図である。
【図５】図１に示す時計のムーブメントを示す平面図である。
【図６】本発明に係る第２実施形態の時計の構造を模式的に示す構成図である。
【図７】本発明に係る第３実施形態の時計の構造を模式的に示す構成図である。
【図８】本発明に係る第４実施形態の時計の内部構造を示す平面図である。
【図９】本発明に係る第５実施形態の時計の内部構造を示す平面図である。
【図１０】本発明に係る第６実施形態の時計の内部構造を示す平面図である。
【図１１】第１実施形態の時計の変形例を模式的に示す構成図である。
【図１２】中空構造部の変形例を示す斜視図である。
【図１３】本発明に係る第７実施形態の時計の内部構造を示す平面図である。
【図１４】本発明に係る第８実施形態の時計の構造を模式的に示す構成図である。
【図１５】本発明に係る第９実施形態の時計の構造を模式的に示す構成図である。
【図１６】本発明に係る第１０実施形態の時計の構造を模式的に示す構成図である。
【発明を実施するための形態】
【００２２】
本発明の実施形態を図面に基づいて説明する。
［第１実施形態］
（時計）
一般に、時計の駆動部分を含む機械体を「ムーブメント」と称する。このムーブメントに文字板、指針を取り付けて、時計ケースの中に入れて完成品にした状態を時計の「コンプリート」と称する。
図１は、第１実施形態にかかる時計１０を示す外観図である。図２は、時計１０の内部構造を示す平面図である。図３は、時計１０の一部を示す斜視図である。図４は、時計１０の構造を模式的に示す構成図である。図５は、時計１０のムーブメント１を示す平面図である。
【００２３】
図１および図４に示すように、時計１０のコンプリートは、ムーブメント１と、時計ケース２と、放音構造部３とを備えている。
時計ケース２は、例えば円筒状の周壁部５と、周壁部５の一方側の開口を閉止する裏蓋部６と、周壁部５の他方側の開口を閉止するカバー部７と、周壁部５の外面５ａに設けられたラグ８と、を備えている。
【００２４】
図１に示すように、ラグ８は、一対の第１ラグ８ａ，８ａと、一対の第２ラグ８ｂ，８ｂとを有する。第１ラグ８ａ，８ａと第２ラグ８ｂ，８ｂとは、周壁部５の中心軸に対して回転対称となる位置にある。
第１ラグ８ａおよび第２ラグ８ｂは、周壁部５の外面５ａから突出して形成されている。一対の第１ラグ８ａ，８ａは周壁部５の周方向に間隔をおいて形成され、これらの間の空間に時計ベルト９の端部を受け入れることができる。一対の第２ラグ８ｂ，８ｂは周壁部５の周方向に間隔をおいて形成され、これらの間の空間に時計ベルト９の端部を受け入れることができる。
カバー部７は、ガラスなどの透明材料からなる。
【００２５】
図２および図３に示すように、周壁部５には、周方向に間隔をおいた４箇所に、周壁部５の外面５ａと内面５ｃとの間を貫通する貫通孔５ｂが形成されている。
図１に示すように、時計ケース２は、ムーブメント１と、ムーブメント１に接続された文字板１１１および指針１１２〜１１４を収容している。文字板１１１は、少なくとも時に関する情報を示す目盛り等を有する。指針１１２〜１１４は、時を示す時針１１２、分を示す分針１１３および秒を示す秒針１１４を含む。
【００２６】
（ムーブメント）
図１および図２に示すように、ムーブメント１は、平面視において時計ケース２の中央に配置される。
図５は、ムーブメント１の表側を示す平面図である。
図５に示すように、ムーブメント１は、基板を構成する地板１１を有している。地板１１の裏側には文字板１１１（図１参照）が設けられている。なお、ムーブメント１の表側に組み込まれる輪列を表輪列と称し、ムーブメント１の裏側に組み込まれる輪列を裏輪列と称する。
地板１１には、巻真案内穴１１ａが形成されており、巻真案内穴１１ａに巻真１２が回転自在に組み込まれている。巻真１２の先端にはりゅうず１１５（図１参照）が取付けられる。
巻真１２は、おしどり１３、かんぬき１４、かんぬきばね１５及び裏押さえ１６を有する切換装置により、軸方向の位置が決められている。また、巻真１２の案内軸部には、きち車１７が回転自在に設けられている。
【００２７】
巻真１２が回転軸方向に沿ってムーブメント１の内側に一番近い方の第１の巻真位置（０段目）にある状態で巻真１２を回転させると、図示しないつづみ車の回転を介してきち車１７が回転する。きち車１７が回転することにより、これと噛合う丸穴車２０が回転する。丸穴車２０が回転することにより、これと噛合う角穴車２１が回転する。角穴車２１が回転することにより、香箱車２２に収容された図示しないぜんまい（動力源）が巻き上げられる。
【００２８】
ムーブメント１の表輪列は、上述した香箱車（回転部品）２２の他に、二番車（回転部品）２５、三番車（回転部品）２６及び四番車（回転部品）２７により構成されており、香箱車２２の回転力を伝達する機能を果している。また、ムーブメント１の表側には、表輪列の回転を制御するための脱進機構３０及び調速機構３１が配置されている。
【００２９】
二番車２５は、香箱車２２に噛合う歯車とされている。三番車２６は、二番車２５に噛合う歯車とされている。四番車２７は、三番車２６に噛合う歯車とされている。
脱進機構３０は、上述した表輪列の回転を制御する機構であって、四番車２７と噛み合うがんぎ車（回転部品）３５と、このがんぎ車３５を脱進させて規則正しく回転させるアンクル（回転部品）３６と、を備えている。
調速機構３１は、上述した脱進機構３０を調速する機構であって、てんぷ（回転部品）４０を具備している。
【００３０】
脱進機構３０のがんぎ車３５は、がんぎ歯車部（回転体）１０１と、がんぎ歯車部１０１に同軸上に固定された軸部材（回転軸）１０２と、を備えている。
軸部材１０２は、四番車２７の歯車部に噛合されるがんぎかな部１０３を有する。軸部材１０２の一端部は図示しない輪列受に回転可能に支持され、他端部は地板１１に回転可能に支持されている。
がんぎかな部１０３が四番車２７に噛合されることで、四番車２７の回転力が軸部材１０２に伝達され、がんぎ車３５が回転する。
【００３１】
がんぎ車３５は、複数の歯部１０４がアンクル３６に噛合する。アンクル３６は、３つのアンクルビーム（図示略）を有するアンクル体（図示略）と、アンクル真（図示略）と、を備えている。アンクル３６は、前記アンクル真を軸として前記アンクル体が回動可能である。
３つのアンクルビームのうち２つのアンクルビームの先端には、爪石１０５が設けられ、残り１つのアンクルビームの先端には、アンクルハコ（図示略）が取り付けられている。
アンクルハコが取り付けられたアンクルビームは、地板１１に支持されたドテピン（図示略）に接触可能である。
【００３２】
てんぷ４０は、てん真（回転軸）４１と、アーム部４２を介しててん真４１に取付けられたてん輪（回転体）４３と、ひげぜんまい（図示略）と、を備えている。てんぷ４０は、ひげぜんまいから伝えられた動力によって、てん真４１回りに一定の振動周期で正逆回転させられる。
【００３３】
がんぎ車３５、アンクル３６およびてんぷ４０は、回転軸の一端部が地板１１に軸支され、他端部が受（図示略）に軸支されることによって、地板１１と前記受に対して回転可能に支持される。前記受は、地板１１に対して間隔をおいて対面する部材である。
【００３４】
図２および図３に示すように、放音構造部３は、例えば一対の管状構造部５１，５１（中空構造部）を有する。管状構造部５１としては、例えばアルミニウム、ステンレス鋼などの金属からなる管状体を使用できる。管状構造部５１は金属製に限らず、他の材料、例えば樹脂で構成されていてもよい。
一対の管状構造部５１，５１は、例えば周壁部５の中心軸に対して回転対称となる位置にある。管状構造部５１，５１は、時計ケース２の内部に設けられている。
管状構造部５１は、例えば、内径および外径が長さ方向に一定としてよい。管状構造部５１は、長さ方向に内径が一定であると、後述のように、共鳴を起こさせるのが容易となる。
【００３５】
管状構造部５１は、中央部５２と、中央部５２の両端から周壁部５に近づく方向に延出する延出部５３，５３と、中央部５２の外面に形成された一対の接続部５４，５４とを有する。
中央部５２は、平面視において、例えばムーブメント１の地板１１の外縁１１ｂに沿う円弧状に形成されている。中央部５２は、平面視において、例えば地板１１の外縁１１ｂよりも径方向外方側に位置している。
【００３６】
接続部５４は、例えば地板１１に平行な板状とされており、中央部５２の一部である接続基部５２ａ（振動部）の外面から周壁部５の径方向内方に向けて突出して形成されている。接続部５４，５４は、中央部５２の長さ方向に間隔をおいて形成されている。接続部５４は、固定具５５によってネジ止め等により地板１１の一方の面に固定されている。
接続基部５２ａの内面は、管状構造部５１の内部空間５１ａに面している。
【００３７】
延出部５３の先端部５３３ａは、周壁部５の内面５ｃに液密に接合されている。そのため、管状構造部５１と時計ケース２との間に区画された空間５６（図２参照）は密閉構造となる。延出部５３の先端部５３ａと周壁部５との接合方法としては、溶接、ロウ付け、熱拡散接合などがある。
なお、管状構造部５１は周壁部５と別体であってもよいし、一体に形成されていてもよい。管状構造部５１と周壁部５とが別体である場合、管状構造部５１と周壁部５とは他の部品を介さずに接合することができる。管状構造部５１と周壁部５とが一体に形成される場合、管状構造部５１および周壁部５は、切削加工、深絞り加工、３Ｄプリンタによる成形などによって作製することができる。
【００３８】
延出部５３の先端部５３ａは、管状構造部５１の内部空間５１ａと貫通孔５ｂの内部空間５ｄ（図３参照）とが連通するように周壁部５に接続されている。図２および図３では、先端部５３ａの内部空間５１ａと貫通孔５ｂとは互いに同じ内径を有し、周壁部５の内面５ｃにおいて形成位置がほぼ一致している。そのため、管状構造部５１の内周面５１ｂと貫通孔５ｂの内周面５ｅとは、滑らかに連続した放音路５７を形成している。
貫通孔５ｂの外面５ａ側の外部開口５ｆは、時計ケース２の外部空間６０に開放されている。
【００３９】
放音構造部３（管状構造部５１）とムーブメント１とは接続部５４，５４を介して互いに固定されているため、時計１０は、模式的には図４に示す構造であるといえる。
図４に示すように、管状構造部５１は、ムーブメント１と接続された接続基部５２ａを有する。管状構造部５１の内部空間５１ａは、時計ケース２の外部開口５ｆを通して外部空間６０と連通している。
なお、図２では、管状構造部５１の接続基部５２ａは、接続部５４を介して間接的にムーブメント１に接続されているが、接続基部５２ａは、直接、ムーブメント１に接続されていてもよい。例えば、管状構造部５１の接続基部５２ａが地板１１に当接している構造が可能である。
【００４０】
管状構造部５１は、押出加工、引抜加工、ロール成形、深絞り加工などにより作製してもよいし、金属粉末を用いて３Ｄプリンタにより形成した成形物を焼結する方法により作製してもよい。また、樹脂を用いる場合には射出成形等を採用できる。管状構造部５１は、切削加工によって作製してもよい。
【００４１】
次に、時計１０の動作について説明する。
図５に示すように、アンクル３６がアンクル真を中心に回動すると、爪石１０５はがんぎ車３５の歯部１０４の先端に接触する。この際、アンクルハコが取り付けられたアンクルビームはドテピン（図示略）に接触する。
アンクル３６は、爪石１０５ががんぎ車３５の歯部１０４に接触する際、および、アンクルビームがドテピンに接触する際に、振動が生じる。
また、てんぷ４０は、ひげぜんまいから伝えられた動力によって一定の振動周期で正逆回転するため、回転方向が変わる際に、振動が生じる。
【００４２】
図２、図３および図５に示すように、アンクル３６、がんぎ車３５、ドテピンおよびてんぷ４０に生じた振動は、地板１１および前記受に伝えられる。地板１１に伝えられた振動は、接続部５４を通して管状構造部５１の接続基部５２ａに伝えられる。
管状構造部５１の振動によって生じた音（例えば刻音）は、管状構造部５１の内部空間５１ａを経て、外部開口５ｆを通して外部空間６０に伝えられる。
【００４３】
このように、時計１０は、接続基部５２ａを有する管状構造部５１を有し、管状構造部５１の内部空間５１ａが外部開口５ｆを通して外部空間６０と連通しているため、ムーブメント１の振動によって生じた音は、管状構造部５１の内部空間５１ａを経て、外部開口５ｆを通して外部空間６０に伝えられる。
したがって、時計１０は、ムーブメント１で生じた振動（例えばアンクル３６が発生する振動）の振動源に近い場所（接続基部５２ａ）で振動を音に変換することができるため、効率的に音を外部に伝えることができる。この音は管状構造部５１の内部空間５１ａでの共鳴により音量を増して外部に発せられるため、ムーブメント１で生じた音を大きな音量で外部に伝えることができる。
時計１０は、管状構造部５１と時計ケース２との間に区画された空間５６が密閉構造となるため、管状構造部５１に水が入っても、ムーブメント１等への浸水を防ぐことができる。よって、十分な防水性を確保できる。
また、時計１０は、振動部（接続基部５２ａ）が管状構造部５１にあるため、時計ケース２に振動部がある場合（例えば周壁部５に薄肉部がある場合）に比べて、外力が振動部に作用しにくい。そのため、時計１０は強度的に優れている。
【００４４】
時計１０は、管状構造部５１の一部であって内部空間５１ａに面する接続基部５２ａにムーブメント１の振動が伝えられるため、ムーブメント１の振動を効率よく管状構造部５１の内部空間５１ａに伝えることができる。また、時計１０の構造を簡略にでき、小型化および低コスト化を図ることができる。
【００４５】
時計１０は、管状構造部５１が、アンクル３６等を支持している地板１１に接続されているため、アンクル３６等に生じた振動が効率よく管状構造部５１に伝えられる。よって、ムーブメント１で生じた音を効率的に、大きな音量で外部に伝えることができる。
【００４６】
時計１０は、管状構造部５１の先端部５３ａが周壁部５の内面５ｃに接合されている構造であるため、管状構造部５１は時計ケース２の外面から突出していない。すなわち、管状構造部５１は時計ケース２の外面に対して非突出となる。そのため、時計１０は、小型化が可能であり、意匠性の点でも優れている。
【００４７】
時計１０は、管状構造部５１の内部空間５１ａは、管状構造部５１の両端部においてそれぞれ外部開口５ｆを通して外部空間６０と連通しているため、ムーブメント１で生じた音を２つの外部開口５ｆを通して効率的に外部に伝えることができる。
【００４８】
［第２実施形態］
図６は、第２実施形態にかかる時計１０Ａの構造を模式的に示す構成図である。
時計１０Ａは、ムーブメント１と、時計ケース２と、管状構造部５１Ａ（中空構造部）を有する放音構造部３Ａとを備えている。管状構造部５１Ａ（中空構造部）の一部である接続基部５２Ａａ（振動部）は、管状構造部５１Ａの他の部分に比べて薄肉化されている。接続基部５２Ａａの内面は、管状構造部５１Ａの内部空間５１Ａａに面している。接続基部５２Ａａは、直接または間接にムーブメント１に接続されている。接続基部５２Ａａを薄肉部ともいう。
管状構造部５１Ａと時計ケース２との間に区画された空間５６Ａは密閉構造となっている。
【００４９】
接続基部５２Ａａは、薄肉であるため振動しやすいことから、ムーブメント１の振動が管状構造部５１Ａの内部空間５１Ａａに伝わりやすくなる。したがって、ムーブメント１で生じた音（例えば刻音）を、管状構造部５１Ａの内部空間５１Ａａを通して効率的に、大きな音量で外部に伝えることができる。
接続基部５２Ａａは、薄肉であるため機械的強度が低いが、管状構造部５１Ａは時計ケース２の内部に形成されているため、外力が接続基部５２Ａａに作用しにくい。よって、耐久性の低下の問題は生じない。
【００５０】
なお、時計１０Ａでは、接続基部５２Ａａの全体が薄肉とされているが、接続基部の一部のみが薄肉部であってもよい。
【００５１】
［第３実施形態］
図７は、第３実施形態にかかる時計１０Ｂの構造を模式的に示す構成図である。
時計１０Ｂは、ムーブメント１Ｂと、時計ケース２と、放音構造部３Ｂとを備えている。
ムーブメント１Ｂは、図５に示すムーブメント１と同様の構成に加え、一対のハンマー６６，６６を有する。
放音構造部３Ｂは、管状構造部５１Ｂ（中空構造部）と、管状構造部５１Ｂに接続された一対のゴング６５，６５とを備え、時計ケース２内に設けられている。
【００５２】
管状構造部５１Ｂは、中央部５２Ｂと、中央部５２Ｂの両端から周壁部５に近づく方向に延出する延出部５３Ｂ，５３Ｂとを有する。
延出部５３Ｂの先端部５３Ｂａは、周壁部５の内面５ｃに液密に接合されているため、管状構造部５１Ｂと時計ケース２との間に区画された空間５６Ｂは密閉構造となる。
延出部５３Ｂの先端部５３Ｂａは、管状構造部５１Ｂの内部空間５１Ｂａと貫通孔５ｂの内部空間とが連通するように周壁部５に接続されている。
なお、管状構造部５１Ｂは周壁部５と別体であってもよいし、一体に形成されていてもよい。
【００５３】
一対のゴング６５，６５は、周壁部５に沿う円弧状に形成され、それぞれ管状構造部５１Ｂの中央部５２Ｂの一部である接続基部５２Ｂａ，５２Ｂａ（振動部）の外面に固定されている。ゴング６５，６５は、空間５６Ｂに収容されている。
【００５４】
管状構造部５１Ｂに対するゴング６５，６５の固定は、溶接、ネジ止め等を採用できる。ゴング６５は、管状構造部５１Ｂに一体に形成されていてもよい。また、ゴング６５，６５は、振動を管状構造部５１Ｂに伝えることができればよく、管状構造部５１Ｂに固定されずに直接または間接に管状構造部５１Ｂに接している構造であってもよい。
【００５５】
接続基部５２Ｂａの内面は、管状構造部５１Ｂの内部空間５１Ｂａに面している。一対の接続基部５２Ｂａ，５２Ｂａは、中央部５２Ｂの長さ方向に間隔をおいて配置されている。
【００５６】
ハンマー６６，６６は、ムーブメント１Ｂの地板（図示略）等に回転軸６６ａ，６６ａを中心として回動可能に支持されている。ハンマー６６，６６は、回動によってそれぞれゴング６５，６５を打つことができるように構成されている。
【００５７】
ハンマー６６，６６がゴング６５，６５を打つことによってゴング６５，６５に生じた振動は、管状構造部５１Ｂの接続基部５２Ｂａに伝えられる。
管状構造部５１Ｂの振動によって生じた音は、管状構造部５１Ｂの内部空間５１Ｂａを経て、外部開口５ｆを通して外部空間６０に伝えられる。そのため、ムーブメント１Ｂで生じた音を効率的に、大きな音量で外部に伝えることができる。
時計１０Ｂは、管状構造部５１Ｂと時計ケース２との間に区画された空間５６Ｂが密閉構造となるため、防水性を確保できる。
時計１０Ｂは、ゴング６５，６５を有するため、大きな音を外部に伝えることができる。
【００５８】
［第４実施形態］
図８は、第４実施形態にかかる時計１０Ｃの構造を模式的に示す構成図である。
時計１０Ｃは、ムーブメント１と、時計ケース２と、放音構造部３Ｃとを備えている。
放音構造部３Ｃは、複数、例えば４つの管状の管状構造部５１Ｃ（中空構造部）を有する。管状構造部５１Ｃの一端部５１Ｃｂ（接続基部５２Ｃａ，振動部）には、周壁部５の径方向内方に向けて突出する板状の接続部５４Ｃが形成されている。
接続部５４Ｃは固定具５５によってネジ止め等により地板１１に固定されている。地板１１に対する複数の接続部５４Ｃの接続位置は、地板１１の周方向に異なる位置であることが好ましい。
【００５９】
管状構造部５１Ｃの他端部５１Ｃｃは、管状構造部５１Ｃの内部空間５１Ｃａと貫通孔５ｂの内部空間とが連通するように周壁部５の内面５ｃに接続されている。他端部５１Ｃｃは、周壁部５の内面５ｃに液密に接合されているため、管状構造部５１Ｃと時計ケース２との間に区画された空間５６Ｃは密閉構造となる。
なお、管状構造部５１Ｃは周壁部５と別体であってもよいし、一体に形成されていてもよい。
【００６０】
ムーブメント１で生じた振動は、管状構造部５１Ｃの接続基部５２Ｃａに伝えられる。
管状構造部５１Ｃの振動によって生じた音は、管状構造部５１Ｃの内部空間５１Ｃａを経て、外部開口５ｆを通して外部空間６０に伝えられる。そのため、ムーブメント１Ｃで生じた音（例えば刻音）を効率的に、大きな音量で外部に伝えることができる。
時計１０Ｃは、管状構造部５１Ｃと時計ケース２との間に区画された空間５６Ｃが密閉構造となるため、防水性を確保できる。
時計１０Ｃは、管状構造部５１Ｃの一端部５１Ｃｂがムーブメント１に接続されるため、管状構造部５１Ｃを短くできる。そのため、時計ケース２の内部の空間５６Ｃにおける省スペース化が可能である。
【００６１】
［第５実施形態］
図９は、第５実施形態にかかる時計１０Ｄの構造を模式的に示す構成図である。
時計１０Ｄの時計ケース２Ｄは、貫通孔５ｂがラグ８に達している点で、図１等に示す時計１０と異なる。貫通孔５ｂの外部開口５Ｄｆは一部または全部がラグ８（詳しくは第１ラグ８ａ，８ａおよび第２ラグ８ｂ，８ｂ）の外面８ｃに形成されている。
時計１０Ｄは、外部開口５Ｄｆの少なくとも一部がラグ８に形成されているため、周壁部５における設計上の制約が少なくなることから、時計ケース２Ｄの設計の自由度の点で好適である。
【００６２】
［第６実施形態］
図１０は、第６実施形態にかかる時計１０Ｅの構造を模式的に示す構成図である。
時計１０Ｅは、放音構造部３Ｅがゴング６５，６５を備えていない点で図７に示す時計１０Ｂと異なる。
ハンマー６６，６６は、回転軸６６ａ，６６ａを中心として回動することによって、管状構造部５１Ｂの中央部５２Ｂの一部である被打部５２Ｂｂ，５２Ｂｂ（振動部）の外面を打つことができる。被打部５２Ｂｂの内面は管状構造部５１Ｂの内部空間５１Ｂａに面している。
【００６３】
ハンマー６６，６６が被打部５２Ｂｂ，５２Ｂｂを打つことによって管状構造部５１Ｂは振動する。管状構造部５１Ｂの振動によって生じた音は、内部空間５１Ｂａを経て、外部開口５ｆを通して外部空間６０に伝えられる。そのため、ムーブメント１Ｂで生じた音を効率的に、大きな音量で外部に伝えることができる。
時計１０Ｅは、管状構造部５１Ｂと時計ケース２との間に区画された空間５６Ｂが密閉構造となるため、防水性を確保できる。
【００６４】
時計１０Ｅは、ハンマー６６，６６によって管状構造部５１Ｂに直接、打撃を加え、管状構造部５１Ｂを大きく振動させることができるため、外部開口５ｆを通して発せられる音の音量を大きくできる。
また、時計１０Ｅは、ゴングが不要であるため、時計ケース２の内部の空間５６Ｂにおける省スペース化が可能である。そのため、時計１０Ｅの小型化を図ることができる。
【００６５】
なお、本発明の技術範囲は上記実施の形態に限定されず、本発明の趣旨を逸脱しない範囲において種々の変更を加えることが可能である。
図１１は、第１実施形態にかかる時計１０の変形例である時計１０Ｆの一部を模式的に示す構成図である。
時計１０Ｆは、時計ケース２に形成された貫通孔５ｂ内に、貫通孔５ｂを閉止するフィルタ６８が設けられている点で、図１等に示す時計１０と異なる。
フィルタ６８は、管状構造部５１から外部空間６０への音の伝わりを阻害することがなく、しかも外部からの異物侵入を妨げることができるものが選択される。フィルタ６８としては、特に限定されず、例えば多数の通気孔を有する樹脂フィルム、金属膜などが使用できる。フィルタ６８は、金属、樹脂などからなる繊維で構成することもできる。
【００６６】
図１２は、中空構造部の他の例である中空構造部５１Ｇを示す図である。
中空構造部５１Ｇは、向かい合う板状の第１および第２壁部６１，６２と、第１および第２壁部６１，６２の周縁の一部に形成された側壁部６３とを備えている。中空構造部５１Ｇは時計ケース２内に設けられている。
第１壁部６１は、ムーブメント１に直接または間接に接続された振動部となる。中空構造部５１Ｇと時計ケース２との間に区画された空間は密閉構造となる。中空構造部５１Ｇの内部空間５１Ｇａは、第１および第２壁部６１，６２と側壁部６３とで区画された空間であり、周壁部５の外部開口５Ｇｆを通して外部空間６０と連通している。
【００６７】
この構成によれば、板状の第１壁部６１がムーブメント１に接続されているため、第１壁部６１の共振周波数を調整することによって、ムーブメント１の振動をより効率よく外部に伝えることができる。
また、音源がミニッツリピータである場合には、第１壁部６１の共振周波数を調整することによって、ミニッツリピータの音色を調整することができる。
【００６８】
［第７実施形態］
図１３は、第７実施形態にかかる時計１０Ｈの内部構造を示す平面図である。
時計１０Ｈでは、放音構造部３Ｈの管状構造部５１Ｈの延出部５３Ｈが、周壁部５に近づくにつれて内径が大きくなる形状とされている。また、周壁部５に形成された貫通孔５Ｈｂは、周壁部５の内面５ｃから外部開口５Ｈｆに向かうにつれて内径が大きくなる形状である。時計１０Ｈは、これらの点において、図２に示す第１実施形態の時計１０と異なる。
延出部５３Ｈの先端部５３Ｈａにおける管状構造部５１Ｈの内径Ｄ２は、接続基部５２ａにおける管状構造部５１Ｈの内径Ｄ１より大きい。
【００６９】
貫通孔５Ｈｂの内周面５Ｈｂ１は、貫通孔５Ｈｂの中心軸に対する傾斜角度が周壁部５の内面５ｃから外部開口５Ｈｆに向かうにつれて大きくなる形状、例えばラッパ状であることが好ましい。
貫通孔５Ｈｂの内面５ｃにおける内径Ｄ３は、先端部５３Ｈａにおける管状構造部５１Ｈの内径Ｄ２に等しい。
外部開口５Ｈｆの内径Ｄ４は、貫通孔５Ｈｂの内面５ｃにおける内径Ｄ３より大きい。そのため、内径Ｄ４は、接続基部５２ａにおける管状構造部５１Ｈの内径Ｄ１より大きい。
【００７０】
時計１０Ｈは、外部開口５Ｈｆの内径Ｄ４が、接続基部５２ａにおける管状構造部５１Ｈの内径Ｄ１より大きいため、音の回折などの影響を小さくし、外部開口５Ｈｆを通して発せられる音の音量を大きくできる。よって、ムーブメント１で生じた音（例えば刻音）を、より大きな音量で外部に伝えることができる。
【００７１】
なお、管状構造部５１Ｈの延出部５３Ｈは、周壁部５に近づくにつれて内径が大きくなる形状であるが、長さ方向に一定の内径を有する形状であってもよい。
貫通孔５Ｈｂの内周面５Ｈｂ１は、ラッパ状に限らず、貫通孔５Ｈｂの中心軸に対する傾斜角度が周壁部５の内面５ｃから外部開口５Ｈｆにかけて一定である形状、例えば円錐台形状であってもよい。
【００７２】
［第８実施形態］
図１４は、第８実施形態にかかる時計１０Ｉの構造を模式的に示す構成図である。
時計１０Ｉは、ムーブメント１Ｉの表面（例えば下面１Ｉａ）に当接凸部１８が形成されている点で、図６に示す時計１０Ａと異なる。
当接凸部１８は、例えば、断面矩形状（例えば中心軸方向が当接凸部１８の突出方向と一致する円柱状）であり、ムーブメント１Ｉの下面１Ｉａに、下方（接続基部５２Ａａに近づく方向）に突出して形成されている。
ムーブメント１Ｉは、当接凸部１８の突出端面１８ａにおいて接続基部５２Ａａ（薄肉部）の一部、例えば接続基部５２Ａａの中央部のみに当接している。
【００７３】
ムーブメント１Ｉは、１または複数の弾性支持部７１によって時計ケース２の内面に支持されている。弾性支持部７１は、例えばゴム、シリコーン系樹脂、アクリレート系樹脂等の弾性材料からなり、弾性変形可能である。弾性支持部７１は、ムーブメント１Ｉの外面と時計ケース２の内面との間に介在することによって、ムーブメント１Ｉを時計ケース２に対して位置決めすることができる。
【００７４】
時計１０Ｉは、ムーブメント１Ｉが当接凸部１８において接続基部５２Ａａの一部のみに当接するため、接続基部５２Ａａが振動しやすい。そのため、ムーブメント１Ｉで生じた音（例えば刻音）を、管状構造部５１Ａを通して大きな音量で外部に伝えることができる。
時計１０Ｉは、ムーブメント１Ｉが弾性支持部７１に支持されているため、振動が時計ケース２に伝わりにくいことから、ムーブメント１Ｉの振動を優先的に接続基部５２Ａａに伝えることができる。そのため、ムーブメント１Ｉの音を、より大きな音量で外部に伝えることができる。
【００７５】
図１４に示す時計１０Ｉでは、ムーブメント１Ｉと接続基部５２Ａａとは、ムーブメント１Ｉに形成された当接凸部１８において当接しているが、当接凸部は接続基部に形成されていてもよい。すなわち、ムーブメントと接続基部とは、接続基部に形成された当接凸部において当接し、それによってムーブメントが接続基部の一部にのみ当接してもよい。また、ムーブメントと接続基部の両方に当接凸部が形成され、これらの当接凸部どうしが当接してもよい。
【００７６】
［第９実施形態］
図１５は、第９実施形態にかかる時計１０Ｊの構造を模式的に示す構成図である。
時計１０Ｊでは、ムーブメント１Ｊの表面（例えば下面１Ｊａ）に、当接凸部１９が形成されている。
時計１０Ｊは、当接凸部１９が湾曲凸状である点で、図１４に示す時計１０Ｉと異なる。当接凸部１９は、例えば球面状、楕円球状などの外面を有する形状である。当接凸部１９は、例えば頂点１９ａにおいて接続基部５２Ａａの一部、例えば接続基部５２Ａａの中央部のみに当接している。
【００７７】
時計１０Ｊでは、当接凸部１９が頂点１９ａにおいて接続基部５２Ａａに点接触するため、当接凸部１９と接続基部５２Ａａとの接触面積が小さくなる。そのため、接続基部５２Ａａは振動しやすくなる。よって、ムーブメント１Ｉで生じた音（例えば刻音）を、管状構造部５１Ａを通して大きな音量で外部に伝えることができる。
【００７８】
［第１０実施形態］
図１６は、第１０実施形態にかかる時計１０Ｋの構造を模式的に示す構成図である。
時計１０Ｋの管状構造部５１Ａは、一方の端部のみに外部開口５ｆを有する閉管構造である。時計１０Ｋでは、接続基部５２Ｋａ（薄肉部）は、最奥端壁５１Ａｂ（最奥端）に形成されている。管状構造部５１Ａの内径は長さ方向に一定であってよい。
ムーブメント１Ｋの表面（例えば側面１Ｋａ）には当接凸部１８Ｋが形成されている。当接凸部１８Ｋは、接続基部５２Ｋａの一部、例えば接続基部５２Ｋａの中央部のみに当接している。
【００７９】
管状構造部５１Ａの最奥端壁５１Ａｂから外部開口５ｆまでの長さＬ（接続基部５２Ｋａから外部開口５ｆまでの長さ）は、式（１）で表されることが好ましい。長さＬは、管状構造部５１Ａの長さである。
λｎ（２ｎ−１）／４  ・・・（１）
（λｎはムーブメントが発する音の波長。ｎは自然数。）
【００８０】
長さＬは、λｎ（２ｎ−１）／４に一致してもよいが、λｎ（２ｎ−１）／４に一致していない場合でも、例えばλｎ（２ｎ−１）／４の値に対して±１０％の範囲にあれば、「長さＬはλｎ（２ｎ−１）／４で表される」とみなすことができる。
【００８１】
時計１０Ｋでは、管状構造部５１Ａの長さＬが式（１）で表されるため、管状構造部５１Ａで共鳴を起こすことができ、ムーブメント１Ｋの音を、より大きな音量で外部に伝えることができる。
【００８２】
ここで、ムーブメントが発生する音の周波数は、３６００Ｈｚ〜１９０００Ｈｚであることが知られている。中でも、１３０００Ｈｚ〜１９０００Ｈｚが主要な周波数である。
例えば、気温２３℃とした場合の音速は約３４６ｍ／ｓであり、周波数の範囲を３６００Ｈｚ〜１９０００Ｈｚとした場合、上記の周波数に対応した音波の波長は、約１８ｍｍ〜９６ｍｍとなる。同じく周波数の範囲を１３０００Ｈｚ〜１９０００Ｈｚとした場合、上記の周波数に対応した音波の波長は、約１８ｍｍ〜２７ｍｍとなる。
周波数の範囲を１３０００Ｈｚ〜１９０００Ｈｚとした場合、上記の式に波長の値１８ｍｍ〜９６ｍｍを適用すると、ｎ＝１のとき、Ｌは４．５ｍｍ〜２４ｍｍとなる。また、周波数の範囲を３６００Ｈｚ〜１９０００Ｈｚとした場合、上記の式に波長の値１８ｍｍ〜２７ｍｍを適用すると、ｎ＝１のとき、Ｌは４．５ｍｍ〜６．７５ｍｍとなる。
【００８３】
時計１０Ｋは、一つの接続基部５２Ｋａに対して管状構造部５１Ａを一つのみ有するが、前記時計は、一つの振動部に対して複数の管状構造部（中空構造部）があってもよい。その場合、前記一つの振動部の振動によって生じた音を前記複数の管状構造部によって外部に伝えることができる。
【００８４】
図２に示す第１実施形態の時計１０のように、管状構造部５１が、両方の端部に外部開口５ｆを有する開管構造である場合、管状構造部５１の長さ（一方の外部開口５ｆから他方の外部開口５ｆまでの長さ）は、式（２）で表されることが好ましい。
λｎ・ｎ／４  ・・・（２）
（λｎはムーブメントが発する音の波長。ｎは自然数。）
【００８５】
前記長さは、λｎ・ｎ／４に一致するのが好ましいが、λｎ・ｎ／４に一致していない場合でも、例えばλｎ・ｎ／４の値に対して±１０％の範囲にあれば、「前記長さはλｎ・ｎ／４で表される」とみなすことができる。
【００８６】
管状構造部５１の長さＬが式（２）で表される場合も、管状構造部５１で共鳴を起こすことができるため、ムーブメントの音を、より大きな音量で外部に伝えることができる。
【００８７】
ムーブメントの音源は、こはぜ、つづみ車でもよい。こはぜ、つづみ車は、例えば地板に支持されている構成とすることができる。こはぜ、つづみ車は巻真を回転させる際に振動を生じさせる。こはぜ、つづみ車によって生じた音も、地板等を介して中空構造部によって効率よく外部に伝えることができる。
ムーブメントの音源は、ルモントワール機構（定力機構、定トルク機構）に設けられるストップ車であってもよい。一般的にルモントワール機構は、ストップ車、ストッパ、定力ばねを有し、香箱のトルクによって駆動されるストップ車に対して、ストッパが一定周期で係合と解除を繰り返すことによって、ストップ車に接続された定力ばねを巻き上げる。また、定力ばねが発生するトルクによって、調速機を含む輪列、およびストッパを駆動する。ストップ車とストッパとが係合する際には振動が生じるため、この振動によって生じた音を中空構造部によって効率よく外部に伝えることができる。
音源は、アラーム装置、ミニッツリピータ、スピーカ等であってもよい。アラーム装置、ミニッツリピータ、スピーカ等は、ムーブメントの一部である。
【００８８】
本発明の時計は、中空構造部の一部が時計ケースの外面から突出している構成も可能である。
図１の時計１０では、放音構造部３は２つの管状構造部５１（中空構造部）を有するが、放音構造部を構成する中空構造部の数は特に限定されず、１でもよいし、２以上の任意の数でもよい。
図１の時計１０では、管状構造部５１は周壁部５に接続され、周壁部５の外部開口５ｆを通して外部空間６０と連通しているが、中空構造部は裏蓋部に接続され、裏蓋部の外部開口を通して外部空間と連通していてもよい。
【符号の説明】
【００８９】
１，１Ｂ、１Ｉ，１Ｊ，１Ｋ…ムーブメント
２，２Ｄ…時計ケース（ケース）
５１ａ，５１Ａａ，５１Ｂａ，５１Ｃａ，５１Ｇａ・・・内部空間
５ｆ，５Ｄｆ，５Ｇｆ，５Ｈｆ…外部開口
１０，１０Ａ，１０Ｂ，１０Ｃ，１０Ｄ，１０Ｅ，１０Ｆ，１０Ｈ，１０Ｉ，１０Ｊ，１０Ｋ…時計
１１…地板
１８，１８Ｋ，１９…当接凸部
５１，５１Ａ，５１Ｂ，５１Ｃ，５１Ｈ…管状構造部（中空構造部）
５１Ａｂ…最奥端壁（最奥端）
５１Ｇ…中空構造部
５２ａ，５２Ａａ，５２Ｂａ，５２Ｃａ，５２Ｋａ…接続基部（振動部）
５２Ａａ，５２Ｋａ…接続基部（薄肉部、振動部）
５２Ｂｂ…被打部（振動部）
５６，５６Ａ，５６Ｂ，５６Ｃ…空間（中空構造部とケースとの間に区画された空間）
６０…外部空間
６５…ゴング
６６…ハンマー
７１…弾性支持部
Ｄ１…接続基部（振動部）における管状構造部（中空構造部）の内径
Ｄ４…外部開口の内径
Ｌ…管状構造部（中空構造部）の接続基部（振動部）から外部開口までの長さ
【図１】
2017134058.tif 000003
【図２】
2017134058.tif 000004
【図３】
2017134058.tif 000005
【図４】
2017134058.tif 000006
【図５】
2017134058.tif 000007
【図６】
2017134058.tif 000008
【図７】
2017134058.tif 000009
【図８】
2017134058.tif 000010
【図９】
2017134058.tif 000011
【図１０】
2017134058.tif 000012
【図１１】
2017134058.tif 000013
【図１２】
2017134058.tif 000014
【図１３】
2017134058.tif 000015
【図１４】
2017134058.tif 000016
【図１５】
2017134058.tif 000017
【図１６】
2017134058.tif 000018